(57)【要約】【課題】放射線源と放射線画像撮影装置との間で同期をとることなく放射線画像を撮影することのできる放射線画像撮影システム、放射線画像撮影装置、およびプログラムを得る。【解決手段】コンソール４２に設けられたＣＰＵ１０４により、電子カセッテ３２による放射線画像の撮影対象とする領域に被検者が存在するか否かを検出する人検出部１４０Ａまたは人検出部１４０Ｂによって前記被検者の存在が検出された場合に電子カセッテ３２の放射線検出器６０による電荷の蓄積を開始するように制御する。【選択図】図４
2011177450.tif 000002
【特許請求の範囲】
【請求項１】
放射線源から射出されて被検者を透過した放射線により示される放射線画像の撮影を、予め定められた画素単位で当該放射線画像を示す電荷を蓄積することにより行う放射線画像撮影装置と、
前記放射線画像撮影装置による前記放射線画像の撮影対象とする領域に前記被検者が存在するか否かを検出する検出手段と、
前記検出手段によって前記被検者の存在が検出された場合に前記放射線画像撮影装置による電荷の蓄積を開始するように制御する制御手段と、
を含む放射線画像撮影システム。
【請求項２】
前記制御手段は、前記検出手段による検出結果に基づいて、前記被検者が前記撮影対象とする領域に存在し、かつ予め定められた時間以上静止していることが検出された場合に前記放射線画像撮影装置による電荷の蓄積を開始するように制御する
請求項１記載の放射線画像撮影システム。
【請求項３】
前記被検者の前記放射線画像の撮影対象とする部位の指定を受け付ける受付手段をさらに含み、
前記制御手段は、前記検出手段による検出ができないか、または検出精度が予め定められた精度以下である場合、前記受付手段によって前記部位の指定が受け付けられた場合に前記放射線画像撮影装置による電荷の蓄積を開始するように制御する
請求項１または請求項２記載の放射線画像撮影システム。
【請求項４】
前記放射線が入射されない状態で前記放射線画像撮影装置により撮影を行うことにより、前記放射線画像撮影装置による前記放射線画像の撮影によって得られた被検者画像情報を補正するための補正画像情報を取得する取得手段と、
前記補正画像情報を用いて前記被検者画像情報を補正する補正手段と、
をさらに含む請求項１〜請求項３の何れか１項記載の放射線画像撮影システム。
【請求項５】
前記取得手段は、前記放射線画像撮影装置による前記放射線画像の撮影時と同一の電荷蓄積時間で前記放射線画像撮影装置により撮影を行うことにより前記補正画像情報を取得する
請求項４記載の放射線画像撮影システム。
【請求項６】
前記制御手段は、前記放射線画像撮影装置による前記放射線画像の撮影期間のみ当該放射線画像撮影装置に対する駆動用の電力を供給するように制御する
請求項１〜請求項５の何れか１項記載の放射線画像撮影システム。
【請求項７】
前記制御手段は、前記放射線画像撮影装置による電荷の蓄積を開始するように制御するに先立ち、当該放射線画像撮影装置により蓄積されている電荷を排出するリセット動作を行うように制御する
請求項１〜請求項６の何れか１項記載の放射線画像撮影システム。
【請求項８】
前記制御手段は、前記放射線源から前記放射線が射出される期間が、前記放射線画像撮影装置における電荷蓄積期間に収まらないと予測される場合に、警告を行う制御および前記放射線源からの前記放射線の射出を禁止する制御の少なくとも一方の制御を行う
請求項１〜請求項７の何れか１項記載の放射線画像撮影システム。
【請求項９】
放射線源から射出されて被検者を透過した放射線により示される放射線画像の撮影を、予め定められた画素単位で当該放射線画像を示す電荷を蓄積することにより行う放射線画像撮影部と、
前記放射線画像撮影部による前記放射線画像の撮影対象とする領域に前記被検者が存在するか否かを検出する検出手段によって前記被検者の存在が検出された場合に前記放射線画像撮影部による電荷の蓄積を開始するように制御する制御手段と、
を備えた放射線画像撮影装置。
【請求項１０】
コンピュータを、
放射線源から射出されて被検者を透過した放射線により示される放射線画像の撮影を、予め定められた画素単位で当該放射線画像を示す電荷を蓄積することにより行う放射線画像撮影装置による前記放射線画像の撮影対象とする領域に前記被検者が存在するか否かを検出する検出手段と、
前記検出手段によって前記被検者の存在が検出された場合に前記放射線画像撮影装置による電荷の蓄積を開始するように制御する制御手段と、
として機能させるためのプログラム。
【発明の詳細な説明】
【技術分野】
【０００１】
本発明は、放射線画像撮影システム、放射線画像撮影装置、およびプログラムに係り、特に、放射線源から射出されて被検者を透過した放射線により示される放射線画像の撮影を行う放射線画像撮影システム、放射線画像撮影装置、およびプログラムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を用いて照射された放射線により表わされる放射線画像を撮影する可搬型放射線画像撮影装置（以下、「電子カセッテ」ともいう。）が実用化されている。なお、上記電子カセッテに用いられる放射線検出器には、放射線を変換する方式として、放射線をシンチレータで光に変換した後にフォトダイオード等の半導体層で電荷に変換する間接変換方式や、放射線をアモルファスセレン等の半導体層で電荷に変換する直接変換方式等があり、各方式でも半導体層に使用可能な材料が種々存在する。
【０００３】
ところで、以上のような電子カセッテを含めた放射線画像撮影装置により放射線画像の撮影を行う際には、放射線源から放射線が射出されるタイミングに同期して放射線画像の撮影を行う必要があり、このために放射線源と放射線画像撮影装置とを電気的に接続する必要があり、放射線源と放射線画像撮影装置との接続構成が複雑である、という問題があった。
【０００４】
この問題を解決するために適用できる技術として、特許文献１には、放射線発生装置との接続を簡略化あるいは不要化し、かつ放射線照射と同期した撮像動作を可能とする放射線撮像装置を提供することを目的として、対象物の放射線画像を取得するための放射線撮像装置であって、複数の光電変換素子を有する撮像手段と、前記撮像手段の状態を制御するための制御手段と、放射線の照射を検知するための検知手段とを有し、前記制御手段は、前記撮像手段の撮像準備状態から撮像状態への移行時に基づいて、放射線を照射させるための信号を送出し、かつ前記検知手段の出力に基づいて、前記撮像手段を前記撮像状態から画像データ出力可能状態へ移行させることを特徴とする放射線撮像装置が開示されている。
【０００５】
また、特許文献２には、放射線源と放射線撮像装置側との間に配線を設けなくて済むような放射線撮像装置を提供することを目的として、放射線を電気信号に変換する変換素子と、前記変換素子によって変換された電気信号を読み出す読み出し素子と、をそれぞれ含む複数の画素が２次元に配列された変換回路部と、行単位で複数の前記読み出し素子を順次駆動するための駆動回路と、前記放射線の出射の開始および終了を検出する検出素子と、前記検出素子の検出結果に応じて前記駆動回路を制御する制御手段とを備える放射線撮像装置において、前記駆動回路は、前記変換素子の特性を安定させるための第１の動作と、前記第１の動作の後に前記変換素子により前記放射線を前記電気信号に変換し蓄積するための第２の動作と、蓄積された前記電気信号を前記読み出し素子により読み出すための第３の動作と、を前記変換回路部に行わせ、前記制御手段は、前記検出素子によって前記放射線の出射の開始が検出されたとき、前記第１の動作から前記第２の動作に遷移するように前記駆動回路を制御し、かつ前記検出素子によって前記放射線の出射の終了が検出されたとき、前記第２の動作から前記第３の動作に遷移するように前記駆動回路を制御することを特徴とする放射線撮像装置が開示されている。
【０００６】
さらに、特許文献３には、シンプルな筐体構造を持ち、後方散乱の影響を受けない良好な画像を取得できるＸ線撮像装置を提供することを目的として、Ｘ線を用いて被検体の撮影を行うＸ線撮影装置であって、前記Ｘ線を照射する照射手段と、二次元平面画像を得るために前記被写体からのＸ線像を検出し取得するセンサ手段と、前記Ｘ線撮影装置の撮影を制御する制御手段と、前記センサ手段の駆動タイミング設定用のＸ線検出手段とを有し、前記駆動タイミング設定用のＸ線検出手段は、前記センサ手段の撮影領域外に設けられることを特徴とするＸ線撮影装置が開示されている。
【先行技術文献】
【特許文献】
【０００７】
【特許文献１】特開平１１−１５１２３３号公報
【特許文献２】特開２００２−１８１９４２号公報
【特許文献３】特開２００４−１６６７２８号公報
【発明の概要】
【発明が解決しようとする課題】
【０００８】
しかしながら、上記特許文献１〜特許文献３に開示されている技術では、放射線源から照射された放射線が検出されたタイミングに同期して撮影動作を開始しているため、被検者に対して必要以上に被曝させてしまう場合がある、という問題点があった。
【０００９】
本発明は上記問題点を解決するためになされたものであり、放射線源と放射線画像撮影装置との間で同期をとることなく放射線画像を撮影することのできる放射線画像撮影システム、放射線画像撮影装置、およびプログラムを提供することを目的とする。
【課題を解決するための手段】
【００１０】
上記目的を達成するために、請求項１に記載の放射線画像撮影システムは、放射線源から射出されて被検者を透過した放射線により示される放射線画像の撮影を、予め定められた画素単位で当該放射線画像を示す電荷を蓄積することにより行う放射線画像撮影装置と、前記放射線画像撮影装置による前記放射線画像の撮影対象とする領域に前記被検者が存在するか否かを検出する検出手段と、前記検出手段によって前記被検者の存在が検出された場合に前記放射線画像撮影装置による電荷の蓄積を開始するように制御する制御手段と、を含んでいる。
【００１１】
請求項１に記載の放射線画像撮影システムによれば、放射線画像撮影装置により、放射線源から射出されて被検者を透過した放射線により示される放射線画像の撮影が、予め定められた画素単位で当該放射線画像を示す電荷を蓄積することにより行われる。
【００１２】
ここで、本発明では、制御手段により、前記放射線画像撮影装置による前記放射線画像の撮影対象とする領域に前記被検者が存在するか否かを検出する検出手段によって前記被検者の存在が検出された場合に前記放射線画像撮影装置による電荷の蓄積が開始されるように制御される。
【００１３】
このように、請求項１に記載の放射線画像撮影システムによれば、放射線画像撮影装置による放射線画像の撮影対象とする領域に被検者が存在するか否かを検出する検出手段によって前記被検者の存在が検出された場合に前記放射線画像撮影装置による電荷の蓄積を開始するように制御しているので、放射線源と放射線画像撮影装置との間で同期をとることなく放射線画像を撮影することができる。
【００１４】
なお、本発明は、請求項２に記載の発明のように、前記制御手段が、前記検出手段による検出結果に基づいて、前記被検者が前記撮影対象とする領域に存在し、かつ予め定められた時間以上静止していることが検出された場合に前記放射線画像撮影装置による電荷の蓄積を開始するように制御してもよい。これにより、より適切なタイミングで放射線画像撮影装置による電荷の蓄積を開始することができる。
【００１５】
また、本発明は、請求項３に記載の発明のように、前記被検者の前記放射線画像の撮影対象とする部位の指定を受け付ける受付手段をさらに含み、前記制御手段が、前記検出手段による検出ができないか、または検出精度が予め定められた精度以下である場合、前記受付手段によって前記部位の指定が受け付けられた場合に前記放射線画像撮影装置による電荷の蓄積を開始するように制御してもよい。これにより、より確実に放射線画像撮影装置による電荷の蓄積を開始することができる。
【００１６】
また、本発明は、請求項４に記載の発明のように、前記放射線が入射されない状態で前記放射線画像撮影装置により撮影を行うことにより、前記放射線画像撮影装置による前記放射線画像の撮影によって得られた被検者画像情報を補正するための補正画像情報を取得する取得手段と、前記補正画像情報を用いて前記被検者画像情報を補正する補正手段と、をさらに含んでもよい。これにより、より画質の高い放射線画像を得ることができる。
【００１７】
特に、請求項４に記載の発明は、請求項５に記載の発明のように、前記取得手段が、前記放射線画像撮影装置による前記放射線画像の撮影時と同一の電荷蓄積時間で前記放射線画像撮影装置により撮影を行うことにより前記補正画像情報を取得してもよい。これにより、より画質の高い放射線画像を得ることができる。
【００１８】
また、本発明は、請求項６に記載の発明のように、前記制御手段が、前記放射線画像撮影装置による前記放射線画像の撮影期間のみ当該放射線画像撮影装置に対する駆動用の電力を供給するように制御してもよい。これにより、無駄な電力の消費を抑制することができる。
【００１９】
また、本発明は、請求項７に記載の発明のように、前記制御手段が、前記放射線画像撮影装置による電荷の蓄積を開始するように制御するに先立ち、当該放射線画像撮影装置により蓄積されている電荷を排出するリセット動作を行うように制御してもよい。これにより、より画質の高い放射線画像を得ることができる。
【００２０】
さらに、本発明は、請求項８に記載の発明のように、前記制御手段が、前記放射線源から前記放射線が射出される期間が、前記放射線画像撮影装置における電荷蓄積期間に収まらないと予測される場合に、警告を行う制御および前記放射線源からの前記放射線の射出を禁止する制御の少なくとも一方の制御を行ってもよい。これにより、被検者に対する無駄な放射線の被曝を防止することができる。
【００２１】
一方、上記目的を達成するために、請求項９に記載の放射線画像撮影装置は、放射線源から射出されて被検者を透過した放射線により示される放射線画像の撮影を、予め定められた画素単位で当該放射線画像を示す電荷を蓄積することにより行う放射線画像撮影部と、前記放射線画像撮影部による前記放射線画像の撮影対象とする領域に前記被検者が存在するか否かを検出する検出手段によって前記被検者の存在が検出された場合に前記放射線画像撮影部による電荷の蓄積を開始するように制御する制御手段と、を備えている。
【００２２】
請求項９に記載の放射線画像撮影装置によれば、放射線画像撮影部により、放射線源から射出されて被検者を透過した放射線により示される放射線画像の撮影が、予め定められた画素単位で当該放射線画像を示す電荷を蓄積することにより行われる。
【００２３】
ここで、本発明では、制御手段により、前記放射線画像撮影部による前記放射線画像の撮影対象とする領域に前記被検者が存在するか否かを検出する検出手段によって前記被検者の存在が検出された場合に前記放射線画像撮影部による電荷の蓄積が開始されるように制御される。
【００２４】
このように、請求項９に記載の放射線画像撮影装置によれば、放射線画像撮影部による放射線画像の撮影対象とする領域に被検者が存在するか否かを検出する検出手段によって前記被検者の存在が検出された場合に前記放射線画像撮影部による電荷の蓄積を開始するように制御しているので、放射線源と放射線画像撮影装置との間で同期をとることなく放射線画像を撮影することができる。
【００２５】
一方、上記目的を達成するために、請求項１０に記載のプログラムは、コンピュータを、放射線源から射出されて被検者を透過した放射線により示される放射線画像の撮影を、予め定められた画素単位で当該放射線画像を示す電荷を蓄積することにより行う放射線画像撮影装置による前記放射線画像の撮影対象とする領域に前記被検者が存在するか否かを検出する検出手段と、前記検出手段によって前記被検者の存在が検出された場合に前記放射線画像撮影装置による電荷の蓄積を開始するように制御する制御手段と、として機能させるためのものである。
【００２６】
従って、本発明によれば、コンピュータを請求項１に記載の発明と同様に作用させることができるので、請求項１に記載の発明と同様に、放射線源と放射線画像撮影装置との間で同期をとることなく放射線画像を撮影することができる。
【発明の効果】
【００２７】
本発明の放射線画像撮影システム、放射線画像撮影装置、およびプログラムによれば、放射線源と放射線画像撮影装置との間で同期をとることなく放射線画像を撮影することができる、という効果が得られる。
【図面の簡単な説明】
【００２８】
【図１】実施の形態に係る放射線情報システムの構成を示すブロック図である。
【図２】実施の形態に係る放射線画像撮影システムの放射線撮影室における各装置の配置状態の一例を示す側面図である。
【図３】実施の形態に係る電子カセッテの内部構成を示す透過斜視図である。
【図４】実施の形態に係る放射線画像撮影システムの電気系の要部構成を示すブロック図である。
【図５】実施の形態に係る放射線画像撮影処理プログラムの処理の流れを示すフローチャートである。
【図６】実施の形態に係る放射線画像撮影処理プログラムの実行により表示される初期情報入力画面の一例を示す概略図である。
【図７】実施の形態に係る放射線画像撮影処理プログラムの実行により表示される警告画面の一例を示す概略図である。
【図８】実施の形態に係る撮影実施処理プログラムの処理の流れを示すフローチャートである。
【図９】実施の形態に係る曝射終了時点の推定方法の説明に供するタイムチャートである。
【図１０】実施の形態に係るリセット動作に関する説明に供するタイムチャートである。
【図１１】他の実施の形態に係るリセット動作に関する説明に供するタイムチャートである。
【発明を実施するための形態】
【００２９】
以下、図面を参照して、本発明を実施するための形態について詳細に説明する。なお、ここでは、本発明を、病院における放射線科部門で取り扱われる情報を統括的に管理するシステムである放射線情報システムに適用した場合の形態例について説明する。
【００３０】
まず、図１を参照して、本実施の形態に係る放射線情報システム（以下、「ＲＩＳ（Radiology Information System）」と称する。）１０の構成について説明する。
【００３１】
ＲＩＳ１０は、放射線科部門内における、診療予約、診断記録等の情報管理を行うためのシステムであり、病院情報システム（以下、「ＨＩＳ（Hospital Information System）」と称する。）の一部を構成する。
【００３２】
ＲＩＳ１０は、複数台の撮影依頼端末装置（以下、「端末装置」と称する。）１２、ＲＩＳサーバ１４、および病院内の放射線撮影室（あるいは手術室）の個々に設置された放射線画像撮影システム（以下、「撮影システム」と称する。）１８を有しており、これらが有線や無線のＬＡＮ（Local Area Network）等から成る病院内ネットワーク１６に各々接続されて構成されている。なお、ＲＩＳ１０は、同じ病院内に設けられたＨＩＳの一部を構成しており、病院内ネットワーク１６には、ＨＩＳ全体を管理するＨＩＳサーバ（図示省略。）も接続されている。
【００３３】
端末装置１２は、医師や放射線技師が、診断情報や施設予約の入力、閲覧等を行うためのものであり、放射線画像の撮影依頼や撮影予約もこの端末装置１２を介して行われる。各端末装置１２は、表示装置を有するパーソナル・コンピュータを含んで構成され、ＲＩＳサーバ１４と病院内ネットワーク１６を介して相互通信が可能とされている。
【００３４】
一方、ＲＩＳサーバ１４は、各端末装置１２からの撮影依頼を受け付け、撮影システム１８における放射線画像の撮影スケジュールを管理するものであり、データベース１４Ａを含んで構成されている。
【００３５】
データベース１４Ａは、患者（被検者）の属性情報（氏名、性別、生年月日、年齢、血液型、体重、患者ＩＤ（Identification）等）、病歴、受診歴、過去に撮影した放射線画像等の患者に関する情報、撮影システム１８で用いられる、後述する電子カセッテ３２の識別番号（ＩＤ情報）、型式、サイズ、感度、使用可能な撮影部位（対応可能な撮影依頼の内容）、使用開始年月日、使用回数等の電子カセッテ３２に関する情報、および電子カセッテ３２を用いて放射線画像を撮影する環境、すなわち、電子カセッテ３２を使用する環境（一例として、放射線撮影室や手術室等）を示す環境情報を含んで構成されている。
【００３６】
撮影システム１８は、ＲＩＳサーバ１４からの指示に応じて医師や放射線技師の操作により放射線画像の撮影を行う。撮影システム１８は、放射線源１３０（図２も参照。）から曝射条件に従った線量とされた放射線Ｘ（図３も参照。）を被検者に照射する放射線発生装置３４と、被検者の撮影対象部位を透過した放射線Ｘを吸収して電荷を発生し、発生した電荷量に基づいて放射線画像を示す画像情報を生成する放射線検出器６０（図３も参照。）を内蔵する電子カセッテ３２と、電子カセッテ３２に内蔵されているバッテリを充電するクレードル４０と、電子カセッテ３２，放射線発生装置３４，およびクレードル４０を制御するコンソール４２と、を備えている。
【００３７】
コンソール４２は、ＲＩＳサーバ１４からデータベース１４Ａに含まれる各種情報を取得して後述するＨＤＤ１１０（図４参照。）に記憶し、当該情報に基づいて、電子カセッテ３２，放射線発生装置３４，およびクレードル４０の制御を行う。
【００３８】
図２には、本実施の形態に係る撮影システム１８の放射線撮影室４４における各装置の配置状態の一例が示されている。
【００３９】
同図に示すように、放射線撮影室４４には、立位での放射線撮影を行う際に用いられるラック４５と、臥位での放射線撮影を行う際に用いられるベッド４６とが設置されており、ラック４５の前方空間は立位での放射線撮影を行う際の被検者の撮影位置４８とされ、ベッド４６の上方空間は臥位での放射線撮影を行う際の被検者の撮影位置５０とされている。
【００４０】
ラック４５には電子カセッテ３２を保持する保持部１５０が設けられており、立位での放射線画像の撮影を行う際には、電子カセッテ３２が保持部１５０に保持される。同様に、ベッド４６には電子カセッテ３２を保持する保持部１５２が設けられており、臥位での放射線画像の撮影を行う際には、電子カセッテ３２が保持部１５２に保持される。
【００４１】
また、保持部１５０には、被検者が撮影位置４８に存在するか否かを検出するための人検出部１４０Ａが設けられており、ベッド４６には、被検者が撮影位置５０に存在するか否かを検出するための人検出部１４０Ｂが設けられている。なお、本実施の形態に係る撮影システム１８では、人検出部１４０Ａおよび人検出部１４０Ｂともに、放射線画像の撮影時に電子カセッテ３２が配置される位置の近傍に設けられており、被検者の検出対象とする領域が電子カセッテ３２による撮影領域に略一致するように検出感度の調整および位置決めが行われている。
【００４２】
また、放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構５２が設けられている。ここで、支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略。）。
【００４３】
一方、クレードル４０には、電子カセッテ３２を収納可能な収容部４０Ａが形成されている。
【００４４】
電子カセッテ３２は、未使用時にはクレードル４０の収容部４０Ａに収納された状態で内蔵されているバッテリに充電が行われ、放射線画像の撮影時には放射線技師等によってクレードル４０から取り出され、撮影姿勢が立位であればラック４５の保持部１５０に保持され、撮影姿勢が臥位であればベッド４６の保持部１５２に保持される。
【００４５】
ここで、本実施の形態に係る撮影システム１８では、放射線発生装置３４とコンソール４２との間、電子カセッテ３２とコンソール４２との間、および人検出部１４０Ａおよび人検出部１４０Ｂとコンソール４２との間で、無線通信によって各種情報の送受信を行う。
【００４６】
なお、電子カセッテ３２は、放射線撮影室や手術室のみで使用されるものではなく、その可搬性から、例えば、検診や病院内での回診等にも使用することができる。
【００４７】
図３には、本実施の形態に係る電子カセッテ３２の内部構成が示されている。
【００４８】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００４９】
筐体５４の内部には、放射線Ｘが照射される筐体５４の照射面５６側から、被検者による放射線Ｘの散乱線を除去するグリッド５８、被検者を透過した放射線Ｘを検出する放射線検出器６０、および放射線Ｘのバック散乱線を吸収する鉛板６２が順に配設されている。なお、筐体５４の照射面５６をグリッド５８として構成してもよい。
【００５０】
また、筐体５４の内部の一端側には、マイクロコンピュータを含む電子回路および充電可能で、かつ着脱可能なバッテリ９６Ａを収容するケース３１が配置されている。放射線検出器６０および電子回路は、ケース３１に配置されたバッテリ９６Ａから供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ３２は、照射面５６の形状が長方形とされた直方体とされており、その長手方向一端部にケース３１が配置されている。
【００５１】
また、筐体５４の外壁の所定位置には、電源スイッチ５４Ａと、当該電源スイッチ５４Ａのオン・オフの状態（投入状態）、‘レディ状態’，‘データ送信中’といった動作モード、バッテリ９６Ａの残容量の状態等の電子カセッテ３２の動作状態を示す表示を行う表示部５６Ａとが設けられている。なお、本実施の形態に係る電子カセッテ３２では、表示部５６Ａとして、発光ダイオードを適用しているが、これに限らず、発光ダイオード以外の発光素子や、液晶ディスプレイ、有機ＥＬディスプレイ等の他の表示手段としてもよい。
【００５２】
さらに、筐体５４の外壁の所定位置には、電子カセッテ３２を移動させる際に把持される把手５４Ｂが設けられている。なお、本実施の形態に係る電子カセッテ３２では、把手５４Ｂが筐体５４における照射面５６の長手方向に延設された側壁の中央部に設けられているが、これに限らず、例えば、照射面５６の短手方向に延設された側壁の中央部、これら側壁の中央部より電子カセッテ３２の重心位置の偏りを考慮した距離だけ偏倚した位置等、他の位置に設けてもよいことは言うまでもない。
【００５３】
次に、図４を参照して、本実施の形態に係る撮影システム１８の電気系の要部構成について説明する。
【００５４】
同図に示すように、電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）がよく知られている。この場合、蛍光体材料によって放射線Ｘ−光変換を行い、光電変換素子のフォトダイオードによって光−電荷変換を行う。
【００５５】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図４では個々の画素部７４に対応する光電変換層を光電変換部７２として模式的に示している。）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００５６】
また、ＴＦＴアクティブマトリクス基板６６には、一定方向（行方向）に延設され、個々の画素部７４のＴＦＴ７０をオン・オフさせるための複数本のゲート配線７６と、ゲート配線７６と直交する方向（列方向）に延設され、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００５７】
一方、信号処理部８２は、個々のデータ配線７８毎に設けられた増幅器およびサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電荷信号はマルチプレクサに順に（シリアルに）入力され、Ａ／Ｄ変換器によってデジタルの画像データへ変換される。
【００５８】
信号処理部８２には画像メモリ９０が接続されており、信号処理部８２のＡ／Ｄ変換器から出力された画像データは画像メモリ９０に順に記憶される。画像メモリ９０は複数フレーム分の画像データを記憶可能な記憶容量を有しており、放射線画像の撮影が行われる毎に、撮影によって得られた画像データが画像メモリ９０に順次記憶される。
【００５９】
画像メモリ９０は電子カセッテ３２全体の動作を制御するカセッテ制御部９２と接続されている。カセッテ制御部９２はマイクロコンピュータを含んで構成されており、ＣＰＵ（中央処理装置）９２Ａ、ＲＯＭ（Read Only Memory）およびＲＡＭ（Random Access Memory）を含むメモリ９２Ｂ、ＨＤＤ（ハードディスク・ドライブ）やフラッシュメモリ等からなる不揮発性の記憶部９２Ｃを備えている。
【００６０】
また、カセッテ制御部９２には無線通信部９４が接続されている。本実施の形態に係る無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部９２は、無線通信部９４を介してコンソール４２と無線通信が可能とされており、コンソール４２との間で各種情報の送受信が可能とされている。
【００６１】
また、電子カセッテ３２には電源部９６が設けられており、上述した各種回路や各素子（ゲート線ドライバ８０、信号処理部８２、画像メモリ９０、無線通信部９４、カセッテ制御部９２等）は、電源部９６から供給された電力によって作動する。電源部９６は、電子カセッテ３２の可搬性を損なわないように、前述したバッテリ（二次電池）９６Ａを内蔵しており、充電されたバッテリ９６Ａから各種回路や各素子へ電力を供給する。なお、図４では、電源部９６と各種回路や各素子を接続する配線の図示を省略している。
【００６２】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００６３】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、を備えている。また、コンソール４２は、無線通信により、放射線発生装置３４との間で後述する曝射条件等の各種情報の送受信を行うと共に、電子カセッテ３２との間で画像データ等の各種情報の送受信を行い、かつ人検出部１４０Ａおよび人検出部１４０Ｂとの間で検出結果を示す情報等の送受信を行う無線通信部１１８を備えている。
【００６４】
ＣＰＵ１０４、ＲＯＭ１０６、ＲＡＭ１０８、ＨＤＤ１１０、ディスプレイドライバ１１２、操作入力検出部１１４、および無線通信部１１８は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、および無線通信部１１８を介した放射線発生装置３４，電子カセッテ３２，人検出部１４０Ａ，人検出部１４０Ｂとの各種情報の送受信の制御を各々行うことができる。また、ＣＰＵ１０４は、操作入力検出部１１４を介して操作パネル１０２に対するユーザの操作状態を把握することができる。
【００６５】
一方、放射線発生装置３４は、放射線源１３０と、コンソール４２との間で曝射条件等の各種情報を送受信する無線通信部１３２と、受信した曝射条件に基づいて放射線源１３０を制御する線源制御部１３４と、を備えている。
【００６６】
線源制御部１３４もマイクロコンピュータを含んで構成されており、受信した曝射条件等を記憶する。このコンソール４２から受信する曝射条件には管電圧、管電流、曝射期間等の情報が含まれている。線源制御部１３４は、受信した曝射条件に基づいて放射線源１３０から放射線Ｘを照射させる。
【００６７】
また、人検出部１４０Ａおよび人検出部１４０Ｂは、人が存在するか否かを検出するための人検出センサ１４２と、人検出センサ１４２による検出結果を示す情報をコンソール４２に送信する無線通信部１４４と、を備えている。
【００６８】
本実施の形態に係る人検出部１４０Ａおよび人検出部１４０Ｂでは、上記人検出センサ１４２として、自身の設置位置から最も近接している物体までの距離を検出する距離センサを適用しているが、これに限らず、人が存在するか否かを検出することができるセンサであれば、他のセンサを適用してもよいことは言うまでもない。また、本実施の形態に係る撮影システム１８では、人検出センサ１４２として、超音波を射出してから他の物体より反射してくるまでの期間を示す信号（以下、「期間信号」と称する。）を出力するものを適用している。従って、本実施の形態に係る人検出部１４０Ａおよび人検出部１４０Ｂでは、人検出センサ１４２から出力された期間信号によって示される期間を示す情報（以下、「期間情報」と称する。）を、無線通信部１４４を介してコンソール４２に送信する。
【００６９】
なお、人検出センサ１４２としては、このような超音波型のものに限らず、光を用いて距離を検出するセンサ、赤外線を用いて距離を検出するセンサ等、他の測距可能なセンサを適用してもよいことは言うまでもない。
【００７０】
次に、本実施の形態に係る撮影システム１８の作用を説明する。
【００７１】
まず、図５を参照して、放射線画像の撮影を行う際のコンソール４２の作用を説明する。なお、図５は、この際にコンソール４２のＣＰＵ１０４によって実行される放射線画像撮影処理プログラムの処理の流れを示すフローチャートであり、当該プログラムはＲＯＭ１０６の所定領域に予め記憶されている。
【００７２】
同図のステップ２００では、予め定められた初期情報入力画面をディスプレイ１００により表示させるようにディスプレイドライバ１１２を制御し、次のステップ２０２にて所定情報の入力待ちを行う。
【００７３】
図６には、上記ステップ２００の処理によってディスプレイ１００により表示される初期情報入力画面の一例が示されている。同図に示すように、本実施の形態に係る初期情報入力画面では、これから放射線画像の撮影を行う被検者の氏名、撮影部位、撮影時の姿勢（本実施の形態では、臥位または立位）、および撮影時の放射線Ｘの曝射条件（本実施の形態では、放射線Ｘを曝射する際の管電圧、管電流、および曝射期間）の入力を促すメッセージと、これらの情報の入力領域が表示される。
【００７４】
同図に示す初期情報入力画面がディスプレイ１００に表示されると、撮影者は、撮影対象とする被検者の氏名、撮影部位、撮影時の姿勢、および曝射条件を、各々対応する入力領域に操作パネル１０２を介して入力した後、当該初期情報入力画面の下端近傍に表示されている終了ボタンを、操作パネル１０２を介して指定する。ユーザによって終了ボタンが指定されると、上記ステップ２０２が肯定判定となってステップ２０４に移行する。
【００７５】
ステップ２０４では、一例として図９に示すように、初期情報入力画面において入力された情報に基づいて、放射線検出器６０により電荷蓄積を開始する時点を基準とした放射線Ｘの曝射が終了する時点（以下、「曝射終了時点」と称する。）を推定する。
【００７６】
なお、本実施の形態に係る撮影システム１８では、上記曝射終了時点を、電子カセッテ３２において後述するステップ２２４の処理に応じて放射線検出器６０による電荷蓄積を開始する時点と、放射線発生装置３４において後述するステップ２２６の処理によって放射線Ｘの曝射の開始が指示された時点から実際に曝射が開始されるまでの期間（図９における‘タイムラグ’の期間）と、により予め定められている、放射線検出器６０による電荷蓄積を開始してから放射線Ｘの曝射が実際に開始されるまでの期間に、初期情報入力画面において入力された曝射期間を加算することにより推定している。
【００７７】
次のステップ２０６では、初期情報入力画面において入力された撮影部位に応じて予め定められている、放射線検出器６０における電荷蓄積期間（以下、「適用電荷蓄積期間」と称する。）内に上記ステップ２０４の処理によって推定した曝射終了時点が収まるか否かを判定し、否定判定となった場合はステップ２０８に移行して、予め定められた警告処理を実行した後に、本放射線画像撮影処理プログラムを終了する。
【００７８】
なお、本実施の形態に係る撮影システム１８では、上記ステップ２０８において実行される警告処理として、一例として図７に示される警告画面をディスプレイ１００により表示させるようにディスプレイドライバ１１２を制御する処理を適用しているが、これに限らず、予め定められた警告音を発する処理等の他の警告処理を単独、または組み合わせて適用する形態としてもよい。
【００７９】
一方、上記ステップ２０６において肯定判定となった場合はステップ２１０に移行し、初期情報入力画面において入力された情報に基づいて特定される撮影条件が、人検出センサ１４２を用いる場合の条件として予め定められた第１の条件であるか否かを判定することにより、人検出センサ１４２を用いるか否かを判定し、否定判定となった場合は後述するステップ２１８に移行する一方、肯定判定となった場合にはステップ２１２に移行する。
【００８０】
なお、本実施の形態に係る撮影システム１８では、上記第１の条件として、撮影部位が四肢の一部（手首、足首、掌等）等といった、放射線検出器６０による撮影領域に比較して面積が小さい部位が撮影部位である、という条件を適用しているが、これに限らず、人検出センサ１４２では要求される検出精度が得られない場合に対応する他の条件を適用する形態としてもよい。
【００８１】
一方、撮影者は、初期情報入力画面の終了ボタンを指定すると、ディスプレイ１００に上記警告画面が表示されない場合には、初期情報入力画面で入力した被検者の姿勢（臥位または立位）に応じて、電子カセッテ３２をベッド４６に設けられた保持部１５２に保持させた後、被検者をベッド４６の上方空間の撮影位置５０に臥位で位置させるか、または電子カセッテ３２をラック４５の保持部１５０に保持させた後、被検者をラック４５の前方空間における撮影位置４８に立たせる。
【００８２】
次いで撮影者は、撮影部位の前方に放射線発生装置３４の放射線源１３０を配置するように支持移動機構５２を操作する。
【００８３】
そこで、ステップ２１２では、初期情報入力画面において入力された撮影時の姿勢に基づき、放射線画像の撮影にラック４５およびベッド４６の何れを使用するのかを特定し、特定したものに設けられている人検出部１４０Ａまたは人検出部１４０Ｂ（以下、「使用対象人検出部１４０」と称する。）から受信されている期間情報によって示される期間により示される使用対象人検出部１４０から検出対象物までの距離（以下、「検出距離」と称する。）が、電子カセッテ３２の撮影領域に被検者が存在する場合の距離の範囲として予め定められた範囲内となるまで待機することにより、放射線画像の撮影対象とする領域に被検者が位置されるまで待機する。
【００８４】
次のステップ２１４では、被検者が、被検者の静止を検出する条件として予め定められた第２の条件に合致するか否かを判定し、否定判定となった場合は後述するステップ２１８に移行する一方、肯定判定となった場合にはステップ２１６に移行する。
【００８５】
なお、本実施の形態に係る撮影システム１８では、上記第２の条件として、被検者が予め定められた年齢（本実施の形態では、５歳）以上である、との条件を適用しているが、これに限らず、被検者が予め定められた年齢（本実施の形態では、７０歳）以下である、との条件等、静止した状態での撮影が容易に行うことのできる他の条件を適用する形態としてもよい。
【００８６】
ステップ２１６では、上記検出距離が、被検者が静止していると見なすことのできる予め定められた範囲を超えて変化しない期間が、予め定められた期間（本実施の形態では、３秒）以上となったか否かを判定し、否定判定となった場合は上記ステップ２１２に戻る一方、肯定判定となった場合にはステップ２１８に移行する。
【００８７】
ステップ２１８では、予め定められた部位（本実施の形態では、放射線検出器６０、信号処理部８２、画像メモリ９０、および無線通信部９４）に対する電源電力の供給開始を指示する指示情報を電子カセッテ３２へ無線通信部１１８を介して送信する。これに応じて、電子カセッテ３２は、これらの部位への給電を開始するように電源部９６を制御する。
【００８８】
次のステップ２２０では、電子カセッテ３２に対して、上記適用電荷蓄積期間と同一の電荷蓄積期間で放射線検出器６０による撮影を実行させることにより、放射線検出器６０による放射線画像の撮影によって得られた画像データ（以下、「被検者画像データ」と称する。）を補正するための画像データ（以下、「オフセット画像データ」と称する。）を取得するオフセット画像取得処理を実行する。
【００８９】
この際、ＣＰＵ１０４は、オフセット画像取得処理を実行することを指示する指示情報を、上記適用電荷蓄積期間を示す情報と共に電子カセッテ３２へ無線通信部１１８を介して送信する。これに応じて、電子カセッテ３２は、この時点で放射線検出器６０において蓄積されている電荷を排出するリセット動作を行った後、受信した適用電荷蓄積期間で放射線検出器６０による撮影を行い、これによって得られたオフセット画像データをコンソール４２へ無線通信部９４を介して送信する。
【００９０】
そこで、ＣＰＵ１０４は、電子カセッテ３２から送信されたオフセット画像データを、無線通信部１１８を介して受信し、ＲＡＭ１０８の所定領域に記憶する。
【００９１】
次のステップ２２２では、初期情報入力画面において入力された曝射条件を放射線発生装置３４へ無線通信部１１８を介して送信することにより当該爆射条件を設定する。これに応じて線源制御部１３４は、受信した曝射条件での曝射準備を行う。
【００９２】
次のステップ２２４では、放射線画像の撮影を実施する撮影実施処理の実行開始を指示する指示情報を電子カセッテ３２へ無線通信部１１８を介して送信する。これに応じて、電子カセッテ３２では、後述する撮影実施処理の実行を開始する。
【００９３】
次のステップ２２６では、曝射開始を指示する指示情報を放射線発生装置３４へ無線通信部１１８を介して送信する。これに応じて、放射線発生装置３４では、放射線源１３０から、上記ステップ２２２の処理に応じてコンソール４２から受信した曝射条件に応じた管電圧、管電流、および曝射期間で放射線Ｘを発生して射出する。これに応じて、電子カセッテ３２では、上記撮影実施処理により、放射線画像の撮影を行い、これによって得られた被検者画像データをコンソール４２へ無線通信部９４を介して送信する。
【００９４】
そこで、次のステップ２２８では、上記被検者画像データが電子カセッテ３２から受信されるまで待機し、次のステップ２３０にて、上記ステップ２１８の処理によって開始させた給電の停止を指示する指示情報を電子カセッテ３２へ無線通信部１１８を介して送信する。これに応じて、電子カセッテ３２は、当該給電を停止するように電源部９６を制御する。
【００９５】
次のステップ２３２では、受信した被検者画像データに対して、上記ステップ２２０の処理によって取得したオフセット画像データを画素毎に減算することによりオフセット補正を行った後、シェーディング補正等の各種の補正を行う画像処理を実行する。
【００９６】
次のステップ２３４では、上記画像処理が行われた被検者画像データ（以下、「補正画像データ」と称する。）をＨＤＤ１１０に記憶し、次のステップ２３６にて、補正画像データにより示される放射線画像を、確認等を行うためにディスプレイ１００によって表示させるようにディスプレイドライバ１１２を制御し、次のステップ２３８にて、補正画像データをＲＩＳサーバ１４へ病院内ネットワーク１６を介して送信した後、本放射線画像撮影処理プログラムを終了する。なお、ＲＩＳサーバ１４へ送信された補正画像データはデータベース１４Ａに格納され、医師が撮影された放射線画像の読影や診断等を行うことが可能となる。
【００９７】
次に、図８を参照して、前述した撮影実施処理を実行する際の電子カセッテ３２の作用を説明する。なお、図８は、この際に電子カセッテ３２のカセッテ制御部９２に設けられたＣＰＵ９２Ａにより実行される撮影実施処理プログラムの処理の流れを示すフローチャートであり、当該プログラムはカセッテ制御部９２の記憶部９２Ｃに予め記憶されている。
【００９８】
同図のステップ３００では、放射線検出器６０に対して、前述したリセット動作を行うように制御し、次のステップ３０２では、放射線検出器６０に対して、電荷蓄積を開始するように制御する。
【００９９】
次のステップ３０４では、オフセット画像取得処理を実行することを指示する指示情報と共に受信した情報によって示される適用電荷蓄積期間の経過待ちを行う。
【０１００】
次のステップ３０６では、放射線検出器６０に対して、この時点で蓄積されている電荷を読み出すように制御する。これに応じて、放射線検出器６０から上記電荷が電気信号として各データ配線７８に流れ出す。各データ配線７８に流れ出した電気信号は信号処理部８２でデジタルの画像データ（被検者画像データ）に変換されて、画像メモリ９０に記憶される。
【０１０１】
そこで、次のステップ３０８では、画像メモリ９０から被検者画像データを読み出してコンソール４２へ無線通信部９４を介して送信し、その後に本撮影実施処理プログラムを終了する。
【０１０２】
以上詳細に説明したように、本実施の形態によれば、放射線画像撮影装置（本実施の形態では、電子カセッテ３２）による放射線画像の撮影対象とする領域に被検者が存在するか否かを検出する検出手段（本実施の形態では、人検出部１４０Ａおよび人検出部１４０Ｂ）によって前記被検者の存在が検出された場合に前記放射線画像撮影装置による電荷の蓄積を開始するように制御しているので、放射線源と放射線画像撮影装置との間で同期をとることなく放射線画像を撮影することができる。
【０１０３】
また、本実施の形態によれば、前記検出手段による検出結果に基づいて、前記被検者が前記撮影対象とする領域に存在し、かつ予め定められた時間以上静止していることが検出された場合に前記放射線画像撮影装置による電荷の蓄積を開始するように制御しているので、より適切なタイミングで放射線画像撮影装置による電荷の蓄積を開始することができる。
【０１０４】
また、本実施の形態によれば、前記検出手段による検出ができないか、または検出精度が予め定められた精度以下である場合には、前記被検者の前記放射線画像の撮影対象とする部位の指定を受け付けた場合に前記放射線画像撮影装置による電荷の蓄積を開始するように制御しているので、より確実に放射線画像撮影装置による電荷の蓄積を開始することができる。
【０１０５】
また、本実施の形態によれば、前記放射線が入射されない状態で前記放射線画像撮影装置により撮影を行うことにより、前記放射線画像撮影装置による前記放射線画像の撮影によって得られた被検者画像情報（本実施の形態では、被検者画像データ）を補正するための補正画像情報（本実施の形態では、オフセット画像データ）を取得し、前記補正画像情報を用いて前記被検者画像情報を補正しているので、より画質の高い放射線画像を得ることができる。
【０１０６】
特に、本実施の形態によれば、前記放射線画像撮影装置による前記放射線画像の撮影時と同一の電荷蓄積時間で前記放射線画像撮影装置により撮影を行うことにより前記補正画像情報を取得しているので、より画質の高い放射線画像を得ることができる。
【０１０７】
また、本実施の形態によれば、前記放射線画像撮影装置による放射線画像の撮影期間のみ当該放射線画像撮影装置に対する駆動用の電力を供給するように制御しているので、無駄な電力の消費を抑制することができる。
【０１０８】
また、本実施の形態によれば、前記放射線画像撮影装置による電荷の蓄積を開始するように制御するに先立ち、当該放射線画像撮影装置により蓄積されている電荷を排出するリセット動作を行うように制御しているので、より画質の高い放射線画像を得ることができる。
【０１０９】
さらに、本実施の形態によれば、前記放射線源から前記放射線が射出される期間が、前記放射線画像撮影装置における電荷蓄積期間に収まらないと予測される場合に、警告を行う制御および前記放射線源からの前記放射線の射出を禁止する制御を行っているので、被検者に対する無駄な放射線の被曝を防止することができる。
【０１１０】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１１１】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１１２】
例えば、上記実施の形態では、電子カセッテ３２により撮影を行っている期間に予め定められた部位への給電を行う場合について説明したが、本発明はこれに限定されるものではなく、例えば、電子カセッテ３２により撮影を行っている期間で、かつ放射線検出器６０において電荷蓄積を行っている期間には、放射線検出器６０以外の部位には給電しないように制御する形態としてもよい。この場合、上記実施の形態に比較して、電子カセッテ３２の消費電力を、より低減することができる。
【０１１３】
また、上記実施の形態では、コンソール４２により、放射線検出器６０による電荷蓄積を開始するタイミングを決定する処理を実行する場合について説明したが、本発明はこれに限定されるものではなく、例えば、この処理を電子カセッテ３２にて実行する形態としてもよい。
【０１１４】
また、上記実施の形態では、放射線検出器６０による電荷蓄積期間が撮影部位毎に予め定められた期間で固定とされている場合について説明したが、本発明はこれに限定されるものではなく、例えば、撮影によって得られた放射線画像の用途等に応じて上記電荷蓄積期間を適宜設定する形態としてもよい。この場合、より利便性を向上させることができる。
【０１１５】
また、上記実施の形態では、人検出部１４０Ａおよび人検出部１４０Ｂをラック４５およびベッド４６に設けた場合について説明したが、本発明はこれに限定されるものではなく、例えば、電子カセッテ３２に設ける形態としてもよい。
【０１１６】
また、上記実施の形態では、一例として図１０に示すように、放射線検出器６０による電荷蓄積を開始する直前に単発的にリセット動作を行う場合について説明したが、本発明はこれに限定されるものではなく、例えば、一例として図１１に示すように、放射線検出器６０による電荷蓄積を行うに先立って連続的にリセット動作を行う形態としてもよい。この場合、電荷蓄積を開始する条件（上記実施の形態では、撮影対象領域で人が検出されたとの条件、または撮影対象領域で人が所定期間以上静止したとの条件、または初期情報入力画面により撮影部位が入力されたとの条件）が成立した時点でリセット動作が実行中である場合には、当該リセット動作が終了した時点で放射線検出器６０による電荷蓄積を開始するように制御する。
【０１１７】
また、上記実施の形態では、電子カセッテ３２とコンソール４２との間、放射線発生装置３４とコンソール４２との間、人検出部１４０Ａおよび人検出部１４０Ｂとコンソール４２との間で、無線にて通信を行う場合について説明したが、本発明はこれに限定されるものではなく、例えば、これらの少なくとも１つを有線にて通信を行う形態としてもよい。
【０１１８】
また、上記実施の形態では、オフセット画像データを放射線画像の撮影を行う際と同一の電荷蓄積期間として取得する場合について説明したが、本発明はこれに限定されるものではなく、例えば、放射線画像の撮影を行う際の電荷蓄積期間よりも短い期間を適用してオフセット画像データを取得し、取得したオフセット画像データに対して、短くした電荷蓄積期間に対応する係数を乗算することによりオフセット画像データを補正して適用する形態としてもよい。この場合、オフセット画像データを取得するための期間を短縮することができる。
【０１１９】
また、上記実施の形態では、実際の放射線画像の撮影を行う直前にオフセット画像データを取得する場合について説明したが、本発明はこれに限定されるものではなく、例えば、予め想定される、互いに異なる複数の電荷蓄積期間の各々毎に予めオフセット画像データを取得しておき、実際の放射線画像の撮影時と同一か、または最も近い電荷蓄積期間で取得したオフセット画像データを適用する形態としてもよい。この場合、事前にオフセット画像データを取得しておくことができるため、放射線画像の撮影時における処理上の負荷を軽減することができる。
【０１２０】
その他、上記実施の形態で説明したＲＩＳ１０の構成（図１参照。）、放射線撮影室の構成（図２参照。）、電子カセッテ３２の構成（図３参照。）、撮影システム１８の構成（図４参照。）は一例であり、本発明の主旨を逸脱しない範囲内において、不要な部分を削除したり、新たな部分を追加したり、接続状態等を変更したりすることができることは言うまでもない。
【０１２１】
また、上記実施の形態で説明した各種プログラムの処理の流れ（図５，図８参照。）も一例であり、本発明の主旨を逸脱しない範囲内において、不要なステップを削除したり、新たなステップを追加したり、処理順序を入れ換えたりすることができることは言うまでもない。
【０１２２】
さらに、上記実施の形態で説明した各種画面（図６，図７参照。）も一例であり、本発明の主旨を逸脱しない範囲内において、表示内容を変更することができることは言うまでもない。
【符号の説明】
【０１２３】
１０    ＲＩＳ
１８    放射線画像撮影システム
３２    電子カセッテ
３４    放射線発生装置
４２    コンソール
６０    放射線検出器
９０    カセッテ制御部
９２Ａ  ＣＰＵ
９２Ｃ  記憶部
９４    無線通信部
９６    電源部
１００  ディスプレイ
１０２  操作パネル
１０４  ＣＰＵ
１０６  ＲＯＭ
１１８  無線通信部
１３０  放射線源
１４０Ａ，１４０Ｂ  人検出部
１４２  人検出センサ
１４４  無線通信部
【図１】
2011177450.tif 000003
【図２】
2011177450.tif 000004
【図３】
2011177450.tif 000005
【図４】
2011177450.tif 000006
【図５】
2011177450.tif 000007
【図６】
2011177450.tif 000008
【図７】
2011177450.tif 000009
【図８】
2011177450.tif 000010
【図９】
2011177450.tif 000011
【図１０】
2011177450.tif 000012
【図１１】
2011177450.tif 000013